【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
画像を取得する画像取得手段と、
前記画像取得手段より出力される画像データと前記画像データの属性情報とを含む第１のファイルを生成する第１ファイル生成手段と、
前記属性情報を他の属性情報と共に記録した第２のファイルを生成する第２ファイル生成手段とを有することを特徴とする画像記録装置。
【請求項２】
前記第１ファイル生成手段により生成される前記第１のファイルと、前記第２ファイル生成手段により生成される前記第２のファイルとを当該画像記録装置から着脱可能な記録媒体内に記録する記録手段を有することを特徴とする請求項１記載の画像記録装置。
【請求項３】
前記属性情報は、デジタルスチルカメラであることを示す情報等、当該画像記録装置の種類を示す情報を含むことを特徴とする請求項１記載の画像記録装置。
【請求項４】
前記属性情報は、レンズの種類を示す情報、光電変換機の種類を示す情報、当該画像記録装置の一構成である機器の種類を示す情報を含むことを特徴とする請求項１記載の画像記録装置。
【請求項５】
前記属性情報は、レンズのゆがみ特性を示す情報、カラーフィルタの特性を示す情報、前記画像取得手段により前記画像が取得された際における当該画像記録装置の光学系機器の特性を示す情報を含むことを特徴とする請求項１記載の画像記録装置。
【請求項６】
前記属性情報は、フォーカス動作状況を示す情報、露光時間を示す情報、露出補正動作を示す情報等、前記画像取得手段により前記画像が取得された際における光学系機器の動作状況を示す情報を含むことを特徴とする請求項１記載の画像記録装置。
【請求項７】
前記属性情報は、ストロボ発光撮影を示す情報、多点オートフォーカス撮影を示す情報、連写撮影を示す情報、モノクロモード撮影を示す情報、セピアモード撮影を示す情報、画像合成補助モード撮影を示す情報、タイマー撮影を示す情報等の撮影方法を示す情報等の前記画像取得手段による前記画像の取得方法を示す情報を含むことを特徴とする請求項１記載の画像記録装置。
【請求項８】
前記属性情報は、前記画像データが圧縮処理されたデータであることを示す情報、光電変換されデジタルデータに変換されたデータであるか否かを示す情報、評価測光の際に基準となるブロック毎の測光値が前記画像データと共に記録されているか否かを示す情報、前記画像データに文字情報入力領域が存在するか否かを示す情報、前記画像データに音声情報が付加されているか否かを示す情報、前記画像データがホワイトバランス補正されているか否かを示す情報等、前記画像データについてなされた画像処理方法を示す情報を含むことを特徴とする請求項１記載の画像記録装置。
【請求項９】
前記属性情報は、シャッター速度を示す情報、レリーズ方法を示す情報等の前記画像記録装置の機械系の動作状況を示す情報を含むことを特徴とする請求項１記載の画像記録装置。
【請求項１０】
前記属性情報は、前記画像取得手段により前記画像が取得された日時を示す情報、前記画像データに付すファイル名を示す情報、前記画像データの前記記録媒体内における記録位置を示す情報の少なくとも１つを含むことを特徴とする請求項２記載の画像記録装置。
【請求項１１】
各画像データの属性情報を記録した第１のファイルを取得するファイル取得手段と、
前記各画像データについて、夫々該当する前記第１のファイル内の属性情報に基づいて、前記画像データに対する処理及び表示形態を変更する情報処理手段とを備えたことを特徴とする情報処理装置。
【請求項１２】
画像データの属性情報を記録した第１のファイルを取得するファイル取得する第１のステップと、
前記各画像データについて、夫々該当する前記第１のファイル内の属性情報に基づいて、前記画像データに対する処理及び表示形態を変更する情報処理を実行する第２のステップとを備えたことを特徴とする情報処理方法。
【請求項１３】
任意の検索条件を指定する指定ステップと、
前記指定ステップにより指定される前記検索条件に応じて前記第１のファイルから該当する属性情報を検索する検索ステップとを有し、
前記第２のステップは、前記検索ステップにより検索された前記属性情報に一致する属性情報と当該属性情報に対応する画像データとを含む第２のファイルを検索することを特徴とする請求項１２記載の情報処理方法。
【請求項１４】
前記第１のステップは、情報処理装置から着脱可能な記録媒体から前記第１のファイルを取得し、前記第２のステップは、前記第１のファイル内の前記属性情報に基づいて前記第２のファイルを検索することを特徴とする請求項１３記載の情報処理方法。
【請求項１５】
前記第２のステップは、前記第１のファイルに記録される前記属性情報に基づいて、前記各画像データに対して実行可能な処理に関する表示処理を切り替えることを特徴とする請求項１２記載の情報処理方法。
【請求項１６】
前記第２のステップは、各機種の特性情報を記録した第３ファイルから前記第１のファイル内の前記各属性情報にて示される機種情報に該当する特性情報を検索し、当該検索結果である特性情報に基づいて、前記各画像データに対して実行可能な処理に関する表示処理を切り替えることを特徴とする請求項１２記載の情報処理方法。
【請求項１７】
前記属性情報は、前記情報処理装置がデジタルスチルカメラであることを示す情報等、前記画像データを生成する画像記録装置の種類を示す情報、レンズの種類を示す情報、光電変換機の種類を示す情報等、前記画像データを生成する画像記録装置の一構成である機器の種類を示す情報、を含むことを特徴とする請求項１２記載の情報処理方法。
【請求項１８】
前記属性情報は、レンズのひずみ特性を示す情報、カラーフィルタの特性を示す情報等の前記画像データを生成する画像記録装置の光学系機器の特性を示す情報を含み、前記第２のステップは、前記光学系機器の特性を示す情報が前記レンズのひずみ特性を示す情報等の特性情報であるときは、レンズひずみ調整処理に関する表示を切り替えるとともに、レンズひずみ調整処理に関する操作を行うための操作部材に関する表示を切り替えることを特徴とする請求項１２記載の情報処理方法。
【請求項１９】
前記属性情報は、フォーカス動作状況を示す情報、露光時間を示す情報、露出補正動作を示す情報、画像データを生成する画像記録装置の光学系機器の動作状況を示す情報を含むことを特徴とする請求項１２記載の情報処理方法。
【請求項２０】
前記属性情報は、前記画像データを生成した画像記録装置による前記画像の取得方法を示す情報を含み、前記第２のステップは、前記属性情報が前記画像の取得方法を示す情報であるとき、赤目緩和処理、合焦点表示処理、色調整処理、セピア色調整処理、セピア化処理、画像合成処理及びコマ送り再生処理のうちの少なくとも一つを処理に関する表示を行うことを特徴とする請求項１２記載の情報処理方法。
【請求項２１】
前記画像の取得方法を示す情報は、ストロボ発光撮影を示す情報、多点オートフォーカス撮影を示す情報、連写撮影を示す情報、モノクロモード撮影を示す情報、セピアモード撮影を示す情報、画像合成補助モード撮影を示す情報等、前記画像の撮影方法を示す情報、タイマー撮影を示す情報の少なくとも１つを含むことを特徴とする請求項２０記載の情報処理方法。
【請求項２２】
前記第２のステップは、
前記画像の撮影方法を示す情報がストロボ発光撮影を示すときは、赤目緩和処理に関する表示を切り替えるとともに、赤目緩和処理に関する操作を行うための操作部材に関する表示を切り替え、
前記画像の撮影方法を示す情報が多点オートフォーカス撮影を示すときは、合焦点表示処理に関する表示を切り替えるとともに、合焦点表示処理に関する操作を行うための操作部材に関する表示を切り替え、前記画像の撮影方法を示す情報が連写を示すときは、コマ送り再生処理に関する表示を切り替えるとともに、コマ送り再生処理に関する操作を行うための操作部材に関する表示を切り替え、
前記画像の撮影方法を示す情報がモノクロモード撮影を示すときは、モノクロ化処理及び色調整処理のうち少なくとも一つの処理に関する表示を切り替えるとともに、該当する処理に関する操作を行うための操作部材に関する表示を切り替え、
前記画像の撮影方法を示す情報がセピアモード撮影を示すときは、セピア色調整処理及びセピア化処理のうちの少なくとも一つの処理に関する表示を切り替えるとともに、それらの処理に関する操作を行うための操作部材に関する表示を切り替え、
前記画像の撮影方法を示す情報が画像合成補助モード撮影を示すときは、画像合成処理に関する表示を切り替えるとともに、画像合成処理に関する操作を行うための操作部材に関する表示を切り替えることを特徴とする請求項２１記載の情報処理方法。
【請求項２３】
前記属性情報は、前記画像データを生成する画像記録装置が前記画像データに対して施した画像処理方法を示す情報を含み、前記情報処理手段は、前記属性情報が前記画像記録装置による画像処理方法を示す情報であるとき、ホワイトバランス調整処理、コントラスト調整処理、色の濃さ調整処理、トーンカーブ調整処理、カラーマトリックス調整処理、シャープネス調整処理、デジタル露出補正処理、圧縮記録処理、露光量調整処理、文字情報入力処理及び一覧表示処理のうちの少なくとも一つの処理に関する表示を切り替えるとともに、前記各処理に関する操作を行うための操作部材に関する表示を切り替えることを特徴とする請求項１２記載の情報処理方法。
【請求項２４】
前記画像処理方法を示す情報は、前記画像データが圧縮処理されたデータであるか否かを示す情報を含み、前記第２のステップは、前記画像処理方法を示す情報が、前記画像データが圧縮処理されたデータであるか否かを示す情報であるとき、その示される内容に応じて圧縮記録処理に関する表示を切り替えるとともに、圧縮処理に関する操作を行うための操作部材についての表示を切り替えることを特徴とする請求項２３記載の情報処理方法。
【請求項２５】
前記画像処理方法を示す情報は、前記画像である光学像が電気的な信号に変換され、当該信号がデジタルデータに変換されたことにより前記画像データが生成されたか否かを示す情報を含み、前記第２のステップは、前記画像処理方法を示す情報が、前記光学像が電気的な信号に変換され、当該信号がデジタルデータに変換されたことにより前記画像データが生成されたか否かを示す情報であるときは、その示される内容に応じて、ホワイトバランス調整処理、コントラスト調整処理、色の濃さ調整処理、トーンカーブ調整処理、カラーマトリックス調整処理、シャープネス調整処理及びデジタル露出補正処理のうちの少なくとも何れか一つの処理に関する表示を切り替えるとともに、それらの処理に関する操作を行うための操作部材についての表示を切り替えることを特徴とする請求項２３記載の情報処理方法。
【請求項２６】
前記画像処理方法を示す情報は、評価測光の際に基準となる前記画像データのブロック毎の測光値が前記画像データと共に記録されているか否かを示す情報を含み、前記第２のステップは、前記画像処理方法を示す情報が、前記画像データのブロック毎の測光値が前記画像データと共に記録されているか否かを示す情報であるときは、その示される内容に応じて、露光量調整処理に関する表示を切り替えるとともに、その処理に関する操作を行うための操作部材に関する表示を切り替えることを特徴とする請求項２３記載の情報処理方法。
【請求項２７】
前記画像処理方法を示す情報は、前記画像データに文字情報入力領域が存在するか否かを示す情報を含み、前記第２のステップは、前記画像処理方法を示す情報が前記画像データに文字情報入力領域が存在するか否かを示す情報であるときは、その示される内容に応じて、文字情報入力処理に関する表示を切り替えるとともに、その処理に関する操作を行うための操作部材に関する表示を切り替えることを特徴とする請求項２０記載の情報処理方法。
【請求項２８】
前記画像処理方法を示す情報は、前記画像データに音声情報が付加されているか否かを示す情報を含み、前記第２のステップは、前記画像処理方法を示す情報が前記画像データに音声情報が付加されているか否かを示す情報であるときは、その示される内容に応じて、前記画像データについて音声再生処理に関する表示を切り替えるとともに、その処理に関する操作を行うための操作部材に関する表示を切り替えることを特徴とする請求項２３記載の情報処理方法。
【請求項２９】
前記画像処理方法を示す情報は、ホワイトバランス補正がなされているか否かを示す情報を含み、前記属性情報は、前記画像データを生成する画像記録装置の機械系の動作状況を示す情報を含むことを特徴とする請求項２３記載の情報処理方法。
【請求項３０】
前記特性情報は、ストロボ発光機能、多点オートフォーカス機能、音声録音機能、圧縮記録機能、文字情報入力領域を確保して画像ファイルを記録する機能、モノクロ撮影機能、セピアモード撮影機能、画像合成補助モード撮影機能、連写撮影機能、ブロック毎の測光値記録機能及び未処理画像記録機能の各機能の有無、並びに、画像記録特性に関する情報のうちの少なくとも一つを含むことを特徴とする請求項１８記載の情報処理方法。
【請求項３１】
請求項１２乃至３０の何れか１項に記載の情報処理方法をコンピュータに実行させるためのプログラム。
【請求項３２】
請求項３１に記載のプログラムを記録したコンピュータ読み取り可能な記録媒体。